(57)【特許請求の範囲】
【請求項１】
既に販売済みで重複して購入ができない販売済み領域の領域特定情報と、当該販売済み領域に対応するコンテンツデータが登録される領域情報データベースと、
地図上の各地点における各移動体端末の移動量の統計データが格納された統計データ記憶手段と、
コンテンツを送信する領域の購入を希望する領域購入者の領域購入者端末装置からの要求に基づいて、前記領域情報データベースに記憶された販売済み領域と重複しない、販売可能な領域が明示された地図を表示するための地図情報を、前記要求した領域購入者端末装置に送信する地図送信手段と、
前記地図情報を送信した領域購入者端末装置で指定された領域を受信し、当該領域を通過する移動体端末装置の移動量を前記統計データを用いて算出する移動量算出手段と、
前記算出した移動量を、前記領域購入者端末装置に送信する移動量送信手段と、
前記移動量を送信した領域購入者端末装置から、販売済み領域と重複しない領域を特定する領域特定情報を受信する領域受信手段と、
前記領域特定情報を受信した領域購入者端末装置から、移動体端末に送信するコンテンツデータを受信するコンテンツ受信手段と、
前記受信した領域特定情報で特定される領域の販売代金を前記領域購入者に請求する請求手段と、
前記受信した領域特定情報とコンテンツデータを対応つけて前記領域情報データベースに登録する登録手段と、
移動体端末装置から、その現在位置を特定する現在位置情報を受信する現在位置情報受信手段と、
前記受信した前記移動体端末装置の現在位置が、前記領域情報データベースに登録された各領域のいずれの領域内に位置するかを判断する領域判断手段と、
前記移動体端末装置がいずれかの領域内に位置すると判断された場合、当該領域に対応して前記領域情報データベースに登録されたコンテンツデータを当該移動体端末装置に送信するコンテンツ送信手段と、
を具備することを特徴とする領域別情報送信装置。
【請求項２】
領域を特定する領域特定情報と、当該領域特定情報に対応するコンテンツデータが登録される領域情報データベースと、
地図上の各地点における各移動体端末の移動量の統計データが格納された統計データ記憶手段と、
指定された領域を通過する移動体端末装置の移動量を前記統計データを用いて算出する移動量算出手段と、
前記算出した移動量を、コンテンツを送信する領域の購入を希望する領域購入者の領域購入者端末装置に送信する移動量送信手段と、
前記移動量を送信した領域購入者端末装置から、領域を特定する領域特定情報を受信する領域受信手段と、
前記領域特定情報を受信した領域購入者端末装置から、移動体端末に送信するコンテンツデータを受信するコンテンツ受信手段と、
前記受信した領域特定情報で特定される領域の販売代金を前記領域購入者に請求する請求手段と、
前記受信した領域特定情報とコンテンツデータを対応つけて前記領域情報データベースに登録する登録手段と、
移動体端末装置から、その現在位置を特定する現在位置情報を受信する現在位置情報受信手段と、
前記受信した前記移動体端末装置の現在位置が、前記領域情報データベースに登録された各領域のいずれの領域内に位置するかを判断する領域判断手段と、
前記移動体端末装置がいずれかの領域内に位置すると判断された場合、当該領域に対応して前記領域情報データベースに登録されたコンテンツデータを当該移動体端末装置に送信するコンテンツ送信手段と、
を具備することを特徴とする領域別情報送信装置。
【請求項３】
前記受信した領域特定情報で特定される領域の面積、領域内に存在する信号数、領域内の駐車場の有無、領域内の道路長、領域内での移動体端末装置の密度、領域を通過する移動体端末装置の移動量、のうちの少なくとも１つに基づいて当該領域の金額を算出する領域金額算出手段を備え、
前記請求手段は、前記算出した金額を販売代金として前記領域購入者に請求する、
ことを特徴とする請求項１、又は請求項２に記載の領域別情報送信装置。
【請求項４】
前記地図送信手段は、季節、時間、又は期間のうちの少なくとも１つからなる付加条件を特定する付加条件情報を前記要求した領域購入者端末装置に送信し、
前記領域受信手段は、前記付加条件及び前記領域の双方が重複しない領域を前記領域購入者端末装置から受信し、
前記登録手段は、前記受信した領域特定情報と前記受信したコンテンツデータと前記受信した付加条件情報を対応つけて前記領域情報データベースに登録し、
前記領域判断手段は、前記受信した前記移動体端末装置の現在位置が、前記領域情報データベースに登録された各領域と対応つけられた付加条件を満足するいずれの領域内に位置するかを判断することを特徴とする請求項１に記載の領域別情報送信装置。
【発明の詳細な説明】
【０００１】
【発明の属する技術分野】
本発明は、領域別情報送信装置に係り、詳細には、移動体端末装置に対して情報を送信する領域別情報送信装置に関する。
【０００２】
【従来の技術】
パーソナルコンピュータやＰＤＡ（personal digital assistants）、携帯電話等の各種情処理端末が広く普及しており、そのユーザに対して広告等の情報を送信することが広く行われている。
広告等の情報を送信する場合、情報送信の効果が上がる対象、方法により送信することが、情報の送信を希望する者にとって重要であり、車両に搭載されたナビゲーション装置に対して広告等を送信する場合も同様である。
【０００３】
このようなナビゲーション装置に対して効果的に広告を提供するために特開平１１−６５４３４号公報に記載され技術が提案されている。
この技術は、サーバ装置が、車両に搭載された移動体端末装置から、当該車両の現在位置やユーザの個人新情報を無線により受信し、車両の現在位置に関連付けられた広告情報などを当該移動体端末装置に送信するものである。
このシステムでは、移動体端末装置が、車載のナビゲーション装置などから車両の現在位置を取得し、サーバ装置に送信する。するとサーバ装置は、例えば現在位置付近や現在位置と目的地を結ぶ経路沿いにあるレストランの広告などの、ユーザがすぐに利用できるような広告を選択して当該移動体端末装置に送信する。
これによって、例えばユーザが通過する経路沿いにあるレストラン、ガソリンスタンドなどの広告をユーザに配信することができ、より高い広告宣伝効果を得ることができる。
【０００４】
【発明が解決しようとする課題】
しかし、上記公報記載技術では、広告等の情報を送信する者（情報送信希望者）が、情報の送信を希望する領域を指定することができなかった。
また、上記公報記載技術の場合、情報送信希望者にとってみると、車両に対して複数の自己の広告や第３者の広告が複数送信されるため、その分だけ広告効果が低くなるという問題がある。
更に、情報送信希望者にとって、広告の送信を希望する領域を指定して当該領域を購入することもできなかった。
そこで、本発明の目的は、情報送信希望者にとってより情報の送信効果の高い領域別情報送信装置を提供することを目的とする。
【０００５】
【課題を解決するための手段】
（１）請求項１に記載の発明では、既に販売済みで重複して購入ができない販売済み領域の領域特定情報と、当該販売済み領域に対応するコンテンツデータが登録される領域情報データベースと、地図上の各地点における各移動体端末の移動量の統計データが格納された統計データ記憶手段と、コンテンツを送信する領域の購入を希望する領域購入者の領域購入者端末装置からの要求に基づいて、前記領域情報データベースに記憶された販売済み領域と重複しない、販売可能な領域が明示された地図を表示するための地図情報を、前記要求した領域購入者端末装置に送信する地図送信手段と、前記地図情報を送信した領域購入者端末装置で指定された領域を受信し、当該領域を通過する移動体端末装置の移動量を前記統計データを用いて算出する移動量算出手段と、前記算出した移動量を、前記領域購入者端末装置に送信する移動量送信手段と、前記移動量を送信した領域購入者端末装置から、販売済み領域と重複しない領域を特定する領域特定情報を受信する領域受信手段と、前記領域特定情報を受信した領域購入者端末装置から、移動体端末に送信するコンテンツデータを受信するコンテンツ受信手段と、前記受信した領域特定情報で特定される領域の販売代金を前記領域購入者に請求する請求手段と、前記受信した領域特定情報とコンテンツデータを対応つけて前記領域情報データベースに登録する登録手段と、移動体端末装置から、その現在位置を特定する現在位置情報を受信する現在位置情報受信手段と、前記受信した前記移動体端末装置の現在位置が、前記領域情報データベースに登録された各領域のいずれの領域内に位置するかを判断する領域判断手段と、前記移動体端末装置がいずれかの領域内に位置すると判断された場合、当該領域に対応して前記領域情報データベースに登録されたコンテンツデータを当該移動体端末装置に送信するコンテンツ送信手段と、を具備することを特徴とする領域別情報送信装置を提供する。
（２）請求項２記載の発明では、領域を特定する領域特定情報と、当該領域特定情報に対応するコンテンツデータが登録される領域情報データベースと、地図上の各地点における各移動体端末の移動量の統計データが格納された統計データ記憶手段と、指定された領域を通過する移動体端末装置の移動量を前記統計データを用いて算出する移動量算出手段と、前記算出した移動量を、コンテンツを送信する領域の購入を希望する領域購入者の領域購入者端末装置に送信する移動量送信手段と、前記移動量を送信した領域購入者端末装置から、領域を特定する領域特定情報を受信する領域受信手段と、前記領域特定情報を受信した領域購入者端末装置から、移動体端末に送信するコンテンツデータを受信するコンテンツ受信手段と、前記受信した領域特定情報で特定される領域の販売代金を前記領域購入者に請求する請求手段と、前記受信した領域特定情報とコンテンツデータを対応つけて前記領域情報データベースに登録する登録手段と、移動体端末装置から、その現在位置を特定する現在位置情報を受信する現在位置情報受信手段と、前記受信した前記移動体端末装置の現在位置が、前記領域情報データベースに登録された各領域のいずれの領域内に位置するかを判断する領域判断手段と、前記移動体端末装置がいずれかの領域内に位置すると判断された場合、当該領域に対応して前記領域情報データベースに登録されたコンテンツデータを当該移動体端末装置に送信するコンテンツ送信手段と、を具備することを特徴とする領域別情報送信装置を提供する。
（３）請求項３記載の発明では、前記受信した領域特定情報で特定される領域の面積、領域内に存在する信号数、領域内の駐車場の有無、領域内の道路長、領域内での移動体端末装置の密度、領域を通過する移動体端末装置の移動量、のうちの少なくとも１つに基づいて当該領域の金額を算出する領域金額算出手段を備え、前記請求手段は、前記算出した金額を販売代金として前記領域購入者に請求する、ことを特徴とする請求項１、又は請求項２に記載の領域別情報送信装置を提供する。
（４）請求項４記載の発明では、前記地図送信手段は、季節、時間、又は期間のうちの少なくとも１つからなる付加条件を特定する付加条件情報を前記要求した領域購入者端末装置に送信し、前記領域受信手段は、前記付加条件及び前記領域の双方が重複しない領域を前記領域購入者端末装置から受信し、前記登録手段は、前記受信した領域特定情報と前記受信したコンテンツデータと前記受信した付加条件情報を対応つけて前記領域情報データベースに登録し、前記領域判断手段は、前記受信した前記移動体端末装置の現在位置が、前記領域情報データベースに登録された各領域と対応つけられた付加条件を満足するいずれの領域内に位置するかを判断することを特徴とする請求項１に記載の領域別情報送信装置を提供する。
【０００６】
【発明の実施の形態】
（１）実施形態の概要
図１に示されるように、情報センタ５１は、車両５８から送信されてくる現在位置情報によって車両５８の現在位置を監視し、車両５８がエリア５６に進入したことを検知すると車両５８に対して広告主５２が提供するコンテンツデータ５５を送信し、更に車両５８がエリア５６を出てエリア５７に進入したことを検知すると車両５８に対して広告主５３が提供するコンテンツデータ５４を送信する。
このように、本実施の形態では、エリアごとに情報を送信する権利者を設定することにより、これらのエリアを擬似的に不動産のように扱うことができる。
エリアの販売価格は、任意に設定することができるが、例えば、坪数（面積）、占有期間、土地の評価額、車両密度、エリア内の信号数、エリア内の駐車場の有無、などを勘案して決めることができる。
また、コンテンツの配信数を取得する配信数取得手段を情報センタ５１に備え、これによって取得されるコンテンツ配信数の実績を用いて価格を設定することもできる。
【０００７】
（２）実施形態の詳細
以下、本発明の好適な実施の形態について、図１から図１３を参照して詳細に説明する。
図１は、情報送信システムの全体を表したシステム図である。
この情報送信システムでは、情報センタ５１、広告主Ａ，Ｂ、及び車両５８間での情報の送信が行われるようになっている。
情報センタ５１の領域別情報送信装置（以下、単に情報センタ５１という）は、広告主Ａ，Ｂ等を領域購入者として、情報の配信権が付与された仮想の土地（領域）を、販売する。仮想土地の領域は互いに重複しない範囲で販売する。
例えば、広告主Ａは、クライアント端末５２から購入エリア（領域）５６を指定してその領域を購入すると共に、購入した領域内に存在する移動体端末装置に送信するコンテンツ（送信情報）５５を、情報センタ５１に送信する。情報センタ５１では、広告主Ａから受信した領域５６と広告等のコンテンツ５５を購入者データ（ＩＤ等）と共にデータベースに格納する。
【０００８】
一方、移動体端末装置である車両５８のナビゲーション装置（以下、単に車両５８という）からは、所定のタイミング毎（所定時間間隔毎、所定走行距離毎、所定イベント発生毎等）に車両の現在位置を検出して現在位置を情報センタ５１に送信する。情報センタ５１では、車両５８から送信される現在位置情報を取得し、データベースに格納された領域の内のいずれかの領域に位置しているか否かを判断する。
例えば、車両５８が車両位置ａ、ｄのように、いずれの領域内にも位置していない場合に、情報センタ５１は、対応するコンテンツが存在しないのでコンテンツの送信はしない。一方、車両５８が領域５６に位置すると判断した場合、情報センタ５１は、領域５６に対応して格納されているコンテンツ５５を車両５８に送信する。そして車両５８が領域５６から領域５７に移動すると、情報センタ５１は、受信する車両位置ｃから領域５７に位置すると判断して、対応してデータベースに格納されている広告主Ｂのコンテンツ５４を車両５８に送信する。
このように、購入した領域内の移動体端末装置に対して、独占的に自己のコンテンツを送信することができるため、広告主Ａ，Ｂにとって高いコンテンツの送信効果をうることができる。
【０００９】
図２は、本実施形態の領域別情報送信装置にかかる情報センタ５１の構成を例示したものである。
この図２に示されるように、情報センタ５１は、エリア販売サーバ５と、送信サーバ７８と、エリア情報データベース８３を備えている。
【００１０】
エリア販売サーバ５は、インターネット８を介して広告主Ａ、Ｂ…の広告主端末装置７、７、７、…と接続可能に構成されている。
エリア販売サーバ５は、領域購入者である広告主７に対して送信情報の送信権が付与された仮想土地の販売処理や、販売した領域に対応するエリア情報をエリア情報データベース８３に保存、更新等の格納処理を行うサーバ装置である。エリア販売サーバ５は、領域特定情報取得手段、送信情報取得手段、格納手段、領域金額算出手段、金額出力手段、地図送信手段として機能する。
エリア販売サーバ５の詳細については後述する。
【００１１】
送信サーバ７８は、車両５８に搭載されたナビゲーション装置等の移動体端末装置から現在位置情報を取得して、車両が存在する領域に対応してエリア情報データベース８３に格納されているコンテンツデータを当該車両に提供するサーバ装置である。この送信サーバ７８は、現在位置情報取得手段、領域判断手段、送信手段として機能する。
送信サーバ７８は、図示しないＣＰＵやＲＯＭ及びエリア販売サーバ５との通信を制御する第２の通信制御部などを備えたコンピュータシステムにより構成されている。
【００１２】
送信サーバ７８は、通信制御部７９、車両位置特定部８０、コンテンツ取得部８４を備えている。
通信制御部７９は、現在位置情報取得手段の一部として及び送信手段として機能する。通信制御部７９は、車両５８に搭載された移動体端末装置（以下、単に車両５８という）とデータの送受信を行うようになっている。通信制御部７９は、移動体端末装置と、携帯電話等の無線を利用した電話回線や、衛星通信、インターネット８を介しての通信等の各種方法により接続可能に構成されている。
移動体端末装置６１から通信制御部７９には、車両５８の現在位置を表す現在位置情報が送信され、通信制御部７９から移動体端末装置６１には、広告情報等のコンテンツデータが送信される。
【００１３】
車両位置特定部８０は、現在位置情報取得手段の一部として機能し、通信制御部７９から現在位置情報を取得し、車両５８の現在位置を特定する部分である。
なお、現在位置情報取得手段として機能する通信制御部７９と車両位置特定部８０は、移動体端末装置で検出し送信される現在位置情報を取得する場合の他、移動体端末装置から出力される所定の電波を検出してその位置を送信サーバ７８側で特定し、取得するようにしてもよい。例えば、車両５８から発せられる電波を例えば携帯電話の基地局などの複数の無線基地局で受信し、受信された電波の強弱により、車両５８が存在する領域を特定し、この特定した領域を位置情報として取得することもできる。この場合、車両５８が存在する領域の特定は、情報センタ５１が所有する基地局により行うようにしてもよく、また、他の業者が行い当該業者から位置情報を取得するようにしてもよい。
【００１４】
コンテンツ取得部８４は、領域判断手段として機能し、車両位置特定部８０から車両５８の現在位置情報の供給を受けて、エリア情報データベース８３に格納されている各エリアのうちのいずれの販売したエリア内に車両５８が位置しているかを判断する。
コンテンツ取得部８４は、車両５８が販売したエリア内に位置していれば、そのエリアに対応して格納されているコンテンツ（送信情報）をエリア情報データベース８３から読み出して、通信制御部７９に供給するようになっている。
【００１５】
図３は、エリア情報データベース８３に記憶されているエリア情報９７の内容を概念的に例示したものである。
エリア情報９７は、エリア番号９０、エリア特定データ９１、広さデータ９２、購入者データ９３、有効期間データ９４、コンテンツデータ９５、その他のデータ９６などから構成されている。エリア情報９７は、広告主に販売した各エリア毎に作成される。
【００１６】
エリア番号９０は、エリアを特定するためにエリアごとに一意に割り当てられた番号である。この番号を特定することにより、エリアを特定することができる。
エリア特定データ９１は、当該エリアが設定されている領域の区画を特定するためのデータである。エリアの区画は、広告主が購入したエリアを特定するもので、３点以上の絶対座標（緯度、経度）点で構成される。販売したエリアは、この座標点を各頂点とする多角形で特定される。
なお、エリア特定データ９１は、絶対座標点ではなく、所定縮尺率の地図を基準地図として、その基準地図上における座標点で構成するようにしてもよい。この場合、移動体端末装置の現在位置情報が絶対座標なので、基準地図上の座標に換算することで、エリアを特定することになる。
【００１７】
購入者データ９３は、エリア特定データ９１で区画されるエリアの購入者（エリアを指定して購入した広告主Ａ，Ｂ，…）に関するデータである。エリアの購入者は、当該エリア内に存在する移動体端末装置６１にコンテンツを送信する権利を有する。購入者データ９３には、購入者に関するデータとして、例えば、購入者（広告主）の名称、住所、電話番号、メールアドレス、請求書の送付先等のデータが格納される。
【００１８】
広さデータ９２は、エリアの面積を表すデータである。
有効期間データ９４は、購入者データ９３で特定される購入者がエリア特定データ９１で特定されるエリアを所有できる期間を表すデータである。
【００１９】
コンテンツデータ９５は、エリア特定データ９１で特定されるエリア内に存在する移動体端末装置６１に対して送信するコンテンツデータ（送信情報）である。コンテンツデータ９５は、車両５８のドライバや乗客などに対する情報提供用の広告データなどであって、例えば、文字を表すテキストデータや、静止画像データ、動画データ、音声データなどによって構成することができる。
テキストデータによって構成されたドキュメントの内容としては、広告、イベント紹介、電話番号などがある。また、コンテンツデータ９５によっては、位置情報（地図など）やソフトウェアを移動体端末装置に送信することも可能である。
コンテンツデータ９５は、エリアの購入者である広告主Ａ，…の広告主端末７から受信して、エリア情報９７に格納される。
【００２０】
その他のデータ９６は、例えば、当該エリアにコンテンツデータ９５を送信する権利を購入者から借りている者、即ち当該エリアの使用権を設定している場合に、当該使用権者を特定するデータや、使用権が設定されている当該エリア内でのエリア（サブエリアという）を特定する情報やサブエリアに対応した使用権者のコンテンツ（サブコンテンツという）データ、その他のデータによって構成されている。
【００２１】
次に、エリア販売サーバ５と広告主端末装置７、７、７、…（図２）について説明する。
エリア販売サーバ５は、インターネット８に接続されている。エリア販売サーバ５は、ログインした広告主に対してエリアの設定、設定したエリア内に送信するコンテンツデータの設定などのサービスを提供するサーバ装置である。
【００２２】
エリア販売サーバ５は、広告主端末装置７で広告主に提示するエリア設定画面やコンテンツ設定画面などの各種画面データを記憶している。
これらの画面は、例えば、ＨＴＭＬ（Ｈｙｐｅｒ  Ｔｅｘｔ  Ｍａｒｋｕｐ  Ｌａｎｇｕａｇｅ）にて記述されている。
【００２３】
広告主端末装置７、７、７、…は、インターネット８を介してエリア販売サーバ５と通信を行うことができるようになっている。
広告主端末装置７、７、７、…は、例えば、パーソナルコンピュータ（ＰＣ）、携帯電話、通信機能を持ったワープロ、モデム内臓のデジタルテレビなどが該当する。
広告主は、これらの広告主端末装置７、７、７、…からエリア販売サーバ５に接続することにより、エリアを新規に設定したり、またエリアの領域を変更したり、更に、エリア内で配信するコンテンツを設定及び変更したりなどすることができる。
【００２４】
広告主端末装置７、７、７、…にはブラウザがあらかじめインストールされており、このブラウザを用いてエリア販売サーバ５が送信してきたＨＴＭＬ形式の画面データをディスプレイに表示することができる。
広告主は、表示された画面に必要事項を入力することによりエリア販売サーバ５にエリアを確定する情報やコンテンツデータを送信することができる。
【００２５】
インターネット８は、例えば、電話回線、ケーブルテレビ網、衛星回線、光ファイバ網などにより構築されている。
広告主端末装置７、７、７、…とエリア販売サーバ５は、例えば、ＴＣＰ／ＩＰ（Ｔｒａｎｓｍｉｓｓｉｏｎ  ｃｏｎｔｒｏｌ  ｐｒｏｔｏｃｏｌ／ｉｎｔｅｒｎｅｔ  ｐｒｏｔｏｃｏｌ）などのプロトコルを用いて通信する。
【００２６】
また、図２では、広告主端末装置７、７、７、…が直接インターネット８に接続しているが、プロバイダと呼ばれるインターネット接続仲介業者を介してインターネット８に接続する場合もある。
なお、本実施の形態では、広告主端末装置７とエリア販売サーバ５をインターネット８を用いて接続するが、これに限定するものではなく、例えば、専用回線、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などの各種通信手段を介して接続されるように構成しても良い。
【００２７】
図４は、エリア販売サーバ５の構成とハードディスクの内容を例示したものである。
図４（ａ）に示されるように、エリア販売サーバ５は、例えばワークステーション（ハイエンドパソコン等）などの高速で高度な情報処理機能を備えたコンピュータシステムによって構成されている。
ＣＰＵ（Ｃｅｎｔｒａｌ  Ｐｒｏｃｅｓｓｉｎｇ  Ｕｎｉｔ）２９は、ＲＯＭ（Ｒｅａｄ  Ｏｎｌｙ  Ｍｅｍｏｒｙ）３０に記憶されているプログラムやＲＡＭ（Ｒａｎｄｏｍ  Ａｃｃｅｓｓ  Ｍｅｍｏｒｙ）３１にロードされたプログラムなどに従って、各種の処理、計算、条件判断、ディスプレイなどの各種デバイスの制御などを行う。
【００２８】
ＲＯＭ３０は、エリア販売サーバ５の各機能を実現するための基本的なプログラムやパラメータなどが記憶された読み取り専用メモリである。
ＲＡＭ３１は、ＣＰＵ３０が各種の処理を行う上で必要なプログラムやデータを記憶するメモリであり、ＣＰＵ２９は記憶内容を変更することができる。
インターフェース３２は、ハードディスク３３、光磁気ディスク３４、通信部３５、入力部３６、ディスプレイ３７、印刷装置３８などの各種デバイス、及びＣＰＵ２９等と接続されており、これらのデバイスとＣＰＵ２９等とのインターフェースを提供する。
【００２９】
バスライン２８は、インターフェース３２とＣＰＵ２９、ＲＯＭ３０、ＲＡＭ３１などがデータや制御信号などを送受信する際の伝送媒体である。バスライン２８は、エリア情報データベース８３とも接続されており、ＣＰＵ２９がこのバスライン２８を介して、広告主端末装置７から取得するエリア情報をエリア情報データベース８３に保存し、及び更新するようになっている。
光磁気ディスク３４は、一般にハードディスク３３よりもアクセス速度が遅く、広告主端末装置７に対して着脱自在であるため、プログラムやデータのバックアップなどに使用される。
通信部３５は、インターネット８等の各種通信手段を介して広告主端末装置７と接続して情報の送受信を行うデバイスである。
【００３０】
入力部３６は、キーボードやマウスなどにより構成されている。キーボードは、文字情報などを入力する入力手段である。マウスは、ポインティングデバイスであり、ディスプレイ上に表示されたアイコンやボタン（キー）などを左クリックすることにより、データの入力を行うことができる。また、マウスの他にタブレット、タッチパネル、ジョイスティックなどを用いることもできる。
ディスプレイ３７は、例えばＣＲＴ（Ｃａｔｈｏｄｅ  Ｒａｙ  Ｔｕｂｅ）、液晶ディスプレイ、プラズマディスプレイなどで構成された表示装置である。
【００３１】
印刷装置３８は、例えば、レーザプリンタ、インクジェットプリンタ、ドットプリンタ、ページプリンタ、感熱式プリンタ、熱転写式プリンタなどの各種プリンタなどによって構成されている。エリアの購入者に対して、エリアの販売金額を記載した請求書を出力する場合等に使用される。
【００３２】
ハードディスク３３は、ＣＰＵ２９が高速にアクセスできると共に大容量の記憶容量を有した記憶媒体を備えており、様々なプログラムやデータが記憶されている。ハードディスク３３には、例えば、エリア販売プログラム３９、データベース４０、その他の各種プログラムやデータが記憶されるようになっている。
エリア販売プログラム３９は、エリア販売サーバ５にエリア情報９７を更新するための各種機能を実現するためのプログラムである。なお、これら本実施形態を実現するための各種プログラムは、ハードディスク３３以外に、後述する各種記憶媒体に格納するようにしてもよい。
【００３３】
図４（ｂ）は、エリア販売プログラム３９の構成の一例を示した図である。エリア販売プログラム３９は、エリア設定モジュール４１、解析モジュール４２、コンテンツ設定モジュール４３、エリア情報更新モジュール４４、料金処理モジュールなどから構成されている。
【００３４】
エリア設定モジュール４１は、領域特定情報取得手段、地図送信手段として機能し、広告主端末装置７で購入を希望するエリアを特定することを可能にするためのモジュール（コンポーネント）である。
エリア設定モジュール４１は、広告主端末装置７に対して、エリア設定画面を表示するためのデータを送信する。広告主は、後に説明するように当該エリア設定画面に表示された地図上の希望の領域をマウス操作により囲むことにより、購入希望エリアを入力することができる。広告主は、エリアを購入することにより、当該エリア内にある移動体端末装置に対して独占的にコンテンツデータを送信する権利を取得する。
【００３５】
解析モジュール４２は、各種の計算を行うモジュールである。例えば、広告主がエリア設定画面でエリアを設定した際に、当該エリアの面積を計算したり、また、統計データを用いて当該エリアの車両通行量を計算したりなどする。
解析モジュール４２は、また、領域金額算出手段、請求書作成手段として機能し、また、印刷装置、通信部と共に金額出力手段として機能する。解析モジュール４２は、広告主によって設定されたエリアの販売金額を算出し、算出した金額に基づく請求書を作成する。
【００３６】
コンテンツ設定モジュール４３は、送信情報取得手段として機能し、エリア設定モジュール４１で設定されたエリア内に存在する移動体端末装置６１に送信する広告コンテンツなどのコンテンツを、広告主端末装置７で入力可能にするためのモジュールである。
コンテンツ設定モジュール４３は、広告主端末装置７に対して、コンテンツ設定画面を表示するためのデータを送信する。広告主は、当該コンテンツ設定画面からテキストデータ、画像データ、音声データなどを入力することができる。広告主が入力したこれらのデータは、情報センタ５１から当該広告主が送信権を有するエリア内にある移動体端末装置６１に配信される。
【００３７】
エリア情報更新モジュール４４は、広告主がエリア設定画面やコンテンツ設定画面で入力したエリア情報を、エリア情報データベース８３に保存し、及び、保存済みのエリア情報を広告主端末装置７からの更新情報に基づき更新するモジュールである。
【００３８】
図４（ｃ）は、データベース４０の構成の一例を示した図である。
データベース４０には、地図データ４５、統計データ４６、販売価格データ４７などが格納されている。
地図データ４５は、エリア設定モジュール４１が地図送信手段として機能する場合に、広告主端末装置７に対して要求があった地域の地図を送信する場合に使用される。
即ち、エリア販売サーバ５から広告主端末装置７に対してエリア設定画面を送信する際に、エリア設定モジュール４１が地図データ４５を取得し、これを通信部３５から広告主端末装置７へ向けて送信する。
【００３９】
統計データ４６には、例えば、地図上の各地点における各移動体端末の移動量などの各種統計データが格納されている。これらのデータは、例えば解析モジュール４２が、広告主が設定しようとするエリアに対する、車両交通量を計算する場合に使用される。
販売価格データ４７には、広告主が購入するエリアを設定する場合に、当該エリアの販売価格を計算するための基礎データが格納されている。販売価格計算のための基礎データとしては、面積当たり単価、信号当たり単価、駐車場の面積当たり単価、道路長当たり単価、移動量単価、移動体端末装置密度単価、その他の各種データが該当する。
ユーザが購入するエリアの区画を設定すると、解析モジュール４２は、販売価格データ４７を用いて当該エリアの販売価格を計算する。
【００４０】
図５は、広告主端末装置７、７、７、…の構成の一例を示した図である。
本実施の形態では、一例として広告主端末装置７がパーソナルコンピュータ（ＰＣ）により構成されている場合について説明するが、同等の機能を有する端末で構成することも可能である。
以降、複数台ある広告主端末装置７、７、７、…のうちの一台を用いて説明する。
広告主端末装置７の構成は、基本構成はエリア販売サーバ５と同様である。
ＣＰＵ１１は、ＲＯＭ１２に記憶されているプログラムやＲＡＭ１３にロードされたプログラムなどに従って、各種の処理、計算、条件判断、ディスプレイなどの各種デバイスの制御などを行う。
【００４１】
ＲＯＭ１２は、広告主端末装置７を機能させるための基本的なプログラムやパラメータなどが記憶された読み取り専用メモリである。
ＲＡＭ１３は、ＣＰＵ１１が各種の処理を行う上で必要なプログラムやデータを記憶するメモリであり、ＣＰＵ１１は記憶内容を変更することができる。
インターフェース１５は、ハードディスク１６、光磁気ディスク１７、通信部１８、入力部１９、ディスプレイ２０、印刷装置２５などの各種デバイスとＣＰＵ１１などと接続されており、これらのデバイスとＣＰＵ１１などとのインターフェースを提供する。
バスライン１４は、インターフェース１５とＣＰＵ１１、ＲＯＭ１２、ＲＡＭ１３などがデータや制御信号など送受信する際の伝送媒体である。
ハードディスク１６は、高速にアクセスできると共に大容量の記憶容量を有した記憶媒体を備えており、様々なプログラムやデータが記憶されている。
【００４２】
ハードディスク１６には、例えば、ブラウザ２１、回線接続プログラム２２、その他のプログラム２３、各種データベース２４などが記憶されている。
ブラウザ２１は、ＨＴＭＬ形式のファイルをディスプレイ２０に表示するプログラムである。ブラウザ２１によって、エリア販売サーバ５が送信してくるエリア設定画面やコンテンツ設定画面をディスプレイ２０に表示することができる。
ＨＴＭＬ形式のファイルは、タグ（予約語の一種）などを用いて、文書の構造、画像などのある場所、リンク先などを記述したファイルである。そして、ＨＴＭＬ形式のファイルにより、例えば、エリア設定画面などの各画面を定義することができる。ブラウザを用いることによりＨＴＭＬ形式のファイルで定義された画面がディスプレイなどに表示される。
回線接続プログラム２２は、広告主端末装置７をインターネット８（プロバイダを介してインターネット８に接続する場合はプロバイダ）に接続するためのプログラムである。
【００４３】
光磁気ディスク１７は、一般にハードディスク１６よりもアクセス速度が遅く、広告主端末装置７に対して着脱自在であるため、プログラムやデータのバックアップなどに使用される。
通信部１８は、広告主端末装置７をインターネット８に接続するデバイスである。広告主端末装置７を公衆回線に接続する場合はモデムなどで構成する。
【００４４】
入力部１９は、キーボードやマウスなどにより構成されている。キーボードは、文字情報などを入力する入力手段であり、エリア販売サーバ５から受信したＨＴＭＬファイルにより表示されたエリア設定画面、コンテンツ設定画面などの各種画面に文字を入力する際などに使用される。
マウスは、ポインティングデバイスであり、ディスプレイ上に表示されたアイコンやボタンなどを左クリックすることにより、データの入力を行うことができる。また、マウスの他にタブレット、タッチパネル、ジョイスティックなどを用いることもできる。
【００４５】
ディスプレイ２０は、例えばＣＲＴ（Ｃａｔｈｏｄｅ  Ｒａｙ  Ｔｕｂｅ）、液晶ディスプレイ、プラズマディスプレイなどで構成された表示装置である。
ディスプレイ２０は、エリア販売サーバ５から受信したエリア設定画面やコンテンツ設定画面などの各種画面を表示したり、また、広告主がキーボードなどから入力した結果などを表示する。
印刷装置２５は、例えば、レーザプリンタ、インクジェットプリンタ、ドットプリンタ、ページプリンタ、感熱式プリンタ、熱転写式プリンタなどの各種プリンタなどによって構成されている。印刷装置２５は、例えば、エリア設定画面やコンテンツ設定画面の表示内容（入力内容を含む）、その他各種表示内容を印刷する場合に使用される。
【００４６】
図６は、車両５８に搭載される移動体端末装置６１の構成例を示した図である。
図６に示されるように、本実施形態の移動体端末装置６１は、ＧＰＳ装置６２、車両情報センサ６６、ナビゲーション装置６５、通信装置６４、表示装置６７などを備えている。
【００４７】
ＧＰＳ装置６２は、図示しないアンテナを備えており、上空を周回する複数の人工衛星（ＧＰＳ衛星）が発信する電波を受信する。ＧＰＳ装置６２は、複数のＧＰＳ衛星から受信した電波に含まれている情報を解析することにより、現在位置を計算する。
【００４８】
車両情報センサ６６は、車速センサ、ブレーキセンサ、距離センサ、ステアリングセンサ等の各種センサを備え、車両走行状態を検出するユニットである。これら各センサによる検出データは、例えば、車両５８の現在位置を計算する際に使用される。ＧＰＳ装置６２は、例えばビルの谷間やトンネルの中などでは、ＧＰＳ衛星からの信号を良好に受信できない場合がある。ナビゲーション装置６５は、ＧＰＳ装置６２が正常に作動しない場合でも車両情報センサ６６の検出データを用いて車両の現在位置を特定するようになっている。
【００４９】
通信装置６４は、無線通信機により構成されている。またこの他に、例えば、携帯電話、ＤＲＧＳ（Dynamic Route Guidance Systems）、ビーコン（電波ビーコン、光ビーコン）などにより構成することも可能である。
なおＤＲＧＳは、道路脇に設置されたビーコン（電波、光）とFM多重放送によりリアルタイムに道路交通情報を車内のナビゲーション装置等に提供するVICS（Vehicle Information and Communication Ｓystem）による道路交通情報を考慮し、最適な経路選択・案内を行う動的経路誘導システムである。
ビーコンとは、道路上に設置された無線装置であって、ビーコンの下を車両が通過するときに情報のやり取りを行うものである。
通信装置６４は、アンテナ６３を備えており、ナビゲーション装置６５から現在位置情報を取得して情報センタ５１に無線送信すると共に、情報センタ５１から送信されてくるコンテンツデータなどを受信する。
【００５０】
ナビゲーション装置６５は、図示しないマイクロコンピュータ（以下マイコンと記す）とＲＯＭを備えている。このマイコンはＲＯＭに格納されたプログラムに従って、ＧＰＳ装置６２、車両情報センサ６６、通信装置６４、表示装置６７を制御したり、顕在位置の算出など各種換算を行ったりする。
ナビゲーション装置６５は、ＣＤ−ＲＯＭ（Ｃｏｍｐａｃｔ  Ｄｉｓｋ−ＲＯＭ）などの記憶媒体を駆動する駆動装置を有しており、当該駆動装置を用いて記憶媒体に記憶された地図データを取得するようになっている。
ナビゲーション装置６５は、ＧＰＳ装置６２と車両情報センサ６６から取得した情報から現在位置の絶対座標（緯度、経度）を計算し、これを現在位置情報として通信装置６４に供給する。またナビゲーション装置６５は、表示装置６７に表示される地図上に車両の現在位置を表すアイコンを重ねて表示するための表示データを作成する。
そしてナビゲーション装置６５は、表示データを作成する際に、当該表示データに通信装置６４で情報センタ５１から受信したコンテンツデータを含める。
【００５１】
表示装置６７は、例えば、液晶ディスプレイ、プラズマディスプレイなどの画像を表示することのできる表示装置である。
表示装置６７は、ナビゲーション装置６５で作成された表示データに基づいて所定の画面を表示する。
この画面は、例えば、上部が現在位置を画面上で知るロケーション機能用の画面または目的地までの経路案内用の画面で、下部が情報センタ５１から受信する広告などのコンテンツを表示する画面となっている。
【００５２】
なお、表示装置６７には広告画面を表示／非表示を設定するスイッチが設置されており、移動体端末装置６１のユーザ操作により、コンテンツ表示画面を表示したり非表示にしたりすることができる。
本実施の形態では、情報センタ５１から送信されるコンテンツ（送信情報）を受信するか否かを選択する受信選択手段を移動体端末装置６１に更に具備することもできる。
【００５３】
移動体端末装置６１は、図示しない音声出力手段を備え、情報センタ５１から受信したコンテンツデータに音声データが含まれている場合には、その音声データを再生してコンテンツ音声を出力するようになっている。なお、音声出力手段の一部として機能し、コンテンツ音声が出力されるスピーカは移動体端末装置６１専用のスピーカでもよく、移動体端末装置６１が車両の場合には車両に搭載されているスピーカを併用し、また移動体端末装置が携帯電話の場合にはそのスピーカを併用するようにしてもよい。
【００５４】
次に、このように構成された情報送信システムの各動作について説明する。
図７は、広告主端末装置７と情報センタ５１間でのエリア購入（エリア販売）処理を表すフローチャートである。
広告主の操作に基づき広告主端末装置７はインターネット８を介して情報センタ５１のエリア販売サーバ５にアクセスする（ステップ１００）。
エリア販売サーバ５１は、アクセスがあった広告主端末装置７にトップページを送信する（ステップ２００）。送信するトップページは、購入を希望する地域を選択するための項目や入力項目として、郵便番号入力欄、購入希望地域内の住所や電話番号の入力欄、都道府県名や市区町村名等の地域名の選択欄が存在する。電話番号は、市外局番又は市外局番と市内局番まで入力する。地域名はプルダウンメニューにより表示される地域名から選択するようになっている。これら各項目はいずれか１つを入力又は選択すればよい。
【００５５】
広告主端末装置７は、トップページを受信するとディスプレイ２０に表示する。ディスプレイ２０へは、ブラウザ（ソフトウェア）２１に従い、受信データを用いて表示される（以下、同じ）。
表示されたトップページの各欄から購入希望地域が広告主によって指定されると、広告主端末装置７は指定された購入希望地域をエリア販売サーバ５に送信する（ステップ１０２）。
エリア販売サーバ５は、エリア販売プログラム３９のエリア設定モジュール４１に従って、指定された地域を含む所定範囲の地図を地図データ４５から読み出してエリア設定画面を作成し、広告主端末装置７に送信する（ステップ２０２）。
広告主端末装置７は、エリア設定画面を受信すると、エリア設定画面をディスプレイ２０に表示する（ステップ１０４）。
【００５６】
図８は、エリア設定画面１００の表示例を表したものである。
図８に示されるように、エリア設定画面１００は、地図画面１０３が配置され、指定された地域を含む地図が表示されるようになっている。
地図画面１０３上には、既に販売済みで購入ができない販売済みエリア１０４、１０５、…が太線によって囲まれて表示される。これらの販売済みエリアは、エリア設定モジュール４１がエリア情報データベース８３から販売済みのエリアのエリア特定データ９１（図３参照）を取得し、地図表示に重ねて表示するようにしたものである。
地図画面１０３の右側には垂直スクロールバー１０６が、下側には水平スクロールバー１０７が配置され、両スクロールバーを用いて地図画面をそれぞれ上下方向及び左右方向にスクロールすることができる。
【００５７】
地図画面１０３の下側には、広告主が設定したエリアの面積が表示される面積欄１０８、設定したエリアの販売価格が表示される価格欄１０９、設定したエリアを通過する移動体端末装置の台数が表示される交通量欄１１０が配置されている。これら、面積欄１０８、価格欄１０９、交通量欄１１０は、最初にエリア販売サーバ５からエリア設定画面が送信される際（ステップ２０２）には空欄である。
エリア設定画面１００の最下部には、設定したエリアを確定させる確定キー１０１と、エリアの再設定を行う場合のキャンセルキー１０２が配置されている。
【００５８】
なお、エリア設定画面１００に、エリアの所有権の有効期間（エリアの所有期間）を入力する有効欄を設け、広告主はエリアを所有する期間を限定したい場合に、例えば１年間などと有効期間データを入力できるようにしてもよい。この場合、この期間によっても価格欄１０９に表示されるエリアの販売価格は変化する。
【００５９】
広告主は、このエリア設定画面１００の両スクロールバー１０６，１０７を操作し、購入を希望する地域を地図画面１０３に表示させる。そして、販売済みエリア１０４、１０５と重複しない範囲を指定してエリアを設定する。具体的には、マウス操作でポインタ１１２を移動させながら、左クリックした点を頂点とする多角形を地図上で描く。この多角形は、例えば点線で表され、この多角形で囲まれた設定エリア１１１が購入を希望するエリアとなる。
広告主のマウス操作により設定エリア１１１が設定され、確定キー１０１が選択されると、広告主端末装置７は、設定エリア１１１の各頂点に対するデータ（地図上での座標値）をエリアデータとしてエリア販売サーバ５に送信する（ステップ１０６）。
【００６０】
エリア販売サーバ５では、エリアデータを受信すると、解析モジュール４２に従って、ステップ２０２で送信したエリア設定画面１００で表示される地図の縮小率と地図の表示範囲に従って、受信したエリアデータを絶対座標（緯度、経度）からなるエリア特定データに換算し、ＲＡＭ３１に一時保存しておく。
そして、エリア販売サーバ５は、解析モジュール４２に従って、エリア特定データで特定されるエリアの面積を算出すると共に、データベース４０の統計データ４６を参照して交通量を算出し、算出した交通量と販売価格データ４７を参照してエリアの販売価格を算出する。販売価格は、エリア面積、エリア内に存在する信号数、エリア内の駐車場の有無と面積、エリア内の道路長、エリア内での移動体端末装置の密度、エリアを通過する移動体端末装置の移動量、のうちの少なくとも１つに基づいて算出される。
エリア販売サーバ５は、算出した面積、価格、交通量を、クッキー（Cookie）やOPS（open profiling standard）を使用して認識している広告主端末装置７に送信する（ステップ２０４）。
【００６１】
広告主端末装置７は、広告主が設定したエリアに対応して送信される面積、価格、交通量を受信すると、ブラウザ２１に従って、既に表示済みのエリア設定画面１００の面積欄１０８、価格欄１０９、交通量欄１１０に表示する。
交通量欄１１０に表示される台数が多いほど、広告主の提供するコンテンツを受信する車両が多いことになり、有効に広告塔の情報を送信することができることになる。
広告主は表示された価格や交通量等を判断し、エリアについての修正が必要と判断した場合にはキャンセルキー１０２を選択し、設定したエリアで良い場合には確定キー１０１を選択する。
キャンセルキー１０２が選択された場合（ステップ１０８；Ｙ）、広告主端末装置７は、地図画面１０３に表示した設定エリア１１１の点線表示と、面積欄１０８、価格欄１０９、及び交通量欄１１０をクリアし（ステップ１１０）、ステップ１０６に戻り、購入エリアの指定（エリアデータの送信）を再度行う。
【００６２】
一方、確定キー１０１が選択された場合（ステップ１０８；Ｎ）、広告主端末装置７は、ステップ１０６で送信したエリアデータで確定したことを通知する（ステップ１１２）。
エリア確定の通知を受信すると、エリア販売サーバ５は、コンテンツ設定モジュール４３に従って、広告コンテンツ等のコンテンツを入力するためのコンテンツ設定画面を作成し、広告主端末装置７に送信する（ステップ２０６）。
【００６３】
広告主端末装置７は、コンテンツ設定画面を受信すると、コンテンツ設定画面をディスプレイ２０に表示する（ステップ１１４）。このコンテンツ設定画面をディスプレイ２０に表示する際、表示済みのエリア設定画面を消去して表示してもよく、また、別ウィンドウを上に重ねて開いて表示するようにしてもよい。
なお、本実施形態では、エリア設定画面１００で設定したエリアが確定した後に、コンテンツ設定画面が送信されディスプレイ２０に表示される場合について説明したが、表示および入力、設定の順番は逆であってもよく、両者を並行して入力等をするようにしてもよい。
また、一方、が未確定な状態で他方の画面を要求及び表示し、別々に確定するようにしてもよい。
【００６４】
図９は、コンテンツ設定画面１１５の一例を示した図である。
コンテンツ設定画面１１５は、広告主がエリア設定画面１００で設定した設定エリア１１１内に存在する移動体端末装置６１に送信するコンテンツデータを設定するための画面である。
コンテンツ設定画面１１５は、図９に例示されるように、上部に設定画面１２８、下部にテスト画面１２９が配置されている。
【００６５】
設定画面１２８は、テキストキー１１６、画像キー１１７、音声キー１１８、入力欄１１９、音声ファイル表示欄１２３などから構成されている。
テキストキー１１６は、入力欄１１９にテキストデータを入力する際に使用する。
テキストキー１１６を左クリックすると、入力欄１１９にテキスト入力欄１２０が表示される。テキスト入力欄１２０のサイズや位置は、マウス操作により変更することができる。
テキスト入力欄１２０内をマウスにより左クリックするとテキスト入力欄１２０内にカーソルが現れる。広告主はキーボードにより文字を入力することにより、カーソルの位置に文字を入力することができる。
【００６６】
画像キー１１７は、入力欄１１９に画像データを入力する際に使用する。入力欄１１９に入力する画像データは予め用意しておく。
画像キー１１７を左クリックすると、入力欄１１９に画像データ入力欄１２１が表示される。画像データ入力欄１２１を右クリックすると、図示しないリストボックスが表示される。リストボックスには、広告主端末装置７に接続されている光磁気ディスク１７、ハードディスク１６などの各種記憶媒体に格納されているファイルやフォルダの一覧が表示される。
広告主はリストボックスに表示された画像データを左クリックすることにより、画像データ入力欄１２１に画像データをセットすることができる。画像データ入力欄１２１に画像データがセットされると、画像データ入力欄１２１に当該画像が表示される。
【００６７】
音声キー１１８は、移動体端末装置６１に音声データを送信する場合に、当該音声データを設定するのに使用される。
音声データは予め作成してファイルとして保存しておく。広告主が音声キー１１８を左クリックすると、図示しないリストボックスが表示される。
リストボックスに表示されたファイルやフォルダの一覧の中にある当該音声データを左クリックすることにより、当該音声データをセットすることができる。
選択された音声データは音声ファイル表示欄１２３に表示される。
【００６８】
テスト画面１２９は、設定画面１２８で設定した項目が移動体端末装置６１の表示装置６７でどのように表示されるかを広告主が確認するための画面である。
このテスト画面１２９には、仮の地図が表示される模擬画面１３０と設定画面１２８の入力欄１１９に入力されたデータが表示されるテスト広告欄１２４が配置されている。
これらテスト画面１２９の模擬画面１３０とテスト広告欄１２４は、最初にエリア販売サーバ５からコンテンツ設定画面が送信される際（ステップ２０６）には空欄である。
【００６９】
コンテンツ設定画面１１５の最下部には、模擬画面１３０とテスト広告欄１２４にコンテンツをテスト表示させるためのテストキー１２５と、コンテンツを確定させる確定キー１２６と、コンテンツの再設定を行う場合のキャンセルキー１２７が配置されている。
【００７０】
広告主は、このコンテンツ設定画面１１５の設定画面を操作しながら、テキスト、画像、音声等のコンテンツを設定する（ステップ１１６）。
そして広告主は、設定したコンテンツのテスト画面を見たい場合にはテストキー１２５を選択し、再設定をしたい場合にはキャンセルキー１２７を選択し、設定したコンテンツでよければ確定キー１２６を選択する。
【００７１】
広告主端末装置７は、テストキー１２５が選択されると、設定画面１２８で設定されたコンテンツをエリア販売サーバ５に送信する（ステップ１１８；Ｙ）。
エリア販売サーバ５は、受信したコンテンツを使用して、模擬画面１３０に表示するための仮地図と、テスト広告欄１２４に表示するためのコンテンツからなるテスト画面を送信する（ステップ２０８）。コンテンツに音声データが含まれる場合、音声データも送信する。またエリア販売サーバ５は、受信したコンテンツを
ステップ２０４で換算したエリア特定データに対応させてＲＡＭ３１に一時保存しておく。
広告主端末装置７は、受信したデータに従って、既に表示されているコンテンツ設定画面１１５のテスト画面１２９に表示する（ステップ１２０）。
【００７２】
なお、本実施形態では、テストキー１２５の選択によりコンテンツがエリア販売サーバ５に送信され、エリア販売サーバ５からテスト画面が返信されるようにしたが、テスト画面を広告主端末装置７で自動的に作成するようなコンテンツ設定画面としてもよい。
すなわち、テストキー１２５が選択された場合に広告主端末装置７のブラウザ２１に従って広告主端末装置７が仮地図を模擬画面１３０に表示し、入力欄１１９で入力されたコンテンツをテスト広告欄１２４に表示し、音声データがコンテンツに含まれる場合には音声を出力するように、コンテンツ設定画面１１５をエリア販売サーバ５のコンテンツ設定モジュール４３で作成するようにしてもよい。
【００７３】
キャンセルキー１２７が選択された場合（ステップ１２２；Ｙ）、広告主端末装置７は、設定画面１２８で設定されたコンテンツをクリアし（ステップ１２４）、ステップ１１６に戻りコンテンツの設定を再度行う。
一方、確定キー１２６が選択された場合（ステップ１２２；Ｎ）、広告主端末装置７は、ステップ１１８で送信したコンテンツで確定したことを通知する（ステップ１２６）。
【００７４】
コンテンツ確定の通知を受信すると、エリア販売サーバ５はエリア情報更新モジュール４４に従って、一時格納しておいたエリア特定データとコンテンツをＲＡＭ３１から読み出し、エリアの所有者ＩＤとエリア番号を設定し、ステップ２０４で算出した面積等のデータと共に、エリア情報９７（図３参照）として、エリア情報データベース８３に登録する（ステップ２１０）。
なお、エリア情報９７のうちの購入者データ９３については、情報センタ５１にアクセスした際のトップページにより、エリア設定画面１００により、コンテンツ設定画面１１５により、又は、独立した購入者データ入力画面から、広告主が入力してエリア販売サーバ５に送信し、これを受信して格納するようになっている。
【００７５】
そしてエリア販売サーバ５は、ステップ２０４で算出した価格に基づいて、広告主に対してエリア販売代金を請求する（ステップ２１２）。なお、エリア販売料金の請求については、購入エリアを地図上で表示し、面積、金額、支払い方法、入金口座等の明細を記載した請求書をメールで広告主端末装置７に送信し（金額出力手段）、又は、請求書を印刷装置３８で印刷して（金額出力手段）広告主に郵送するようにしてもよい。
この請求に基づいて広告主は、料金を情報センタ５１に支払う（ステップ１２８）。
【００７６】
次に、情報センタ５１から移動体端末装置にコンテンツを送信する動作について説明する。
図１０は、送信サーバ７８の動作を説明するためのフローチャートである。
送信サーバ７８は、常時稼動しており、移動体端末装置６１から現在位置情報が送信されてくるか否かを常に監視している（ステップ６０）。
移動体端末装置６１から現在位置を受信すると（ステップ６０；Ｙ）、送信サーバ７８は、車両位置特定部８０において現在位置情報を解析し、移動体端末装置６１の現在位置を特定する。
そして、コンテンツ取得部８４は、エリア情報データベース８３を用いて、販売済みのエリアのうちのいずれかのエリア内に動体端末装置６１が位置しているか否かを判断して、位置するエリアを特定する（ステップ６５）。
【００７７】
ステップ６７においてコンテンツ取得部８４が移動体端末装置６１が位置するエリアを特定することができなかった場合、即ち、移動体端末装置６１がいずれのエリア内にも位置していない場合（ステップ６７；Ｎ）、コンテンツ送信動作を終了し、再び現在位置情報を監視するモードに移行する。
一方、移動体端末装置６１が存在するエリアをコンテンツ取得部８４で特定することができた場合は（ステップ６７；Ｙ）、コンテンツ取得部８４は特定したエリアに対応付けられたコンテンツデータをエリア情報データベース８３から取得する（ステップ７０）。
送信サーバ７８は、コンテンツ取得部８４で取得したコンテンツデータを、通信制御７９を介して移動体端末装置６１に送信して（ステップ７５）、処理を終了する。
【００７８】
なお、移動体端末装置６１がナビゲーションシステムで構成されている場合、コンテンツデータと共に、地図データや経路案内データ等のナビゲーション用データを送信するようにしてもよい。
ナビゲーションシステムには、例えば地図データを格納したＣＤ−ＲＯＭを車両に備え、当該地図データを用いてナビゲーションを行うタイプのものと、情報センタ５１などから配信される地図データをナビゲーション装置が取得してナビゲーションに使用するタイプのものがある。
後者のタイプのものは、ナビゲーション装置に移動体端末装置を接続して、車両側から現在位置情報を情報センタ５１に送信するとともに、情報センタ５１は当該車両が走行している付近の地図データを車両側に送信するものである。
後者のタイプのナビゲーションシステムを使用している車両に関して、情報センタ５１は、地図データや経路案内データ等のナビゲーション用データと共にコンテンツデータを送信することができる。
【００７９】
図１１は、移動体端末装置６１の動作を説明するためのフローチャートである。
車両５８のドライバなどの移動体端末装置６１のユーザが、移動体端末装置６１の電源スイッチをオンにすると移動体端末装置６１は初期化を行う（Ｓ１０）。これは、ナビゲーション装置６５に装備されたＲＯＭに格納された初期化プログラムが起動して、ナビゲーション装置６５が、ＧＰＳ装置６２、通信装置６４、車両情報センサ６６、表示装置６７の初期化を行うものである。
なお、ナビゲーション装置６５は、ＣＰＵを備えており、ＲＯＭに格納された各種のプログラムに基づいて、移動体端末装置６１の全体の動作を制御する。
【００８０】
次に、ナビゲーション装置６５は、通信装置６４を情報センタ５１と無線により接続する（ステップ１５）。そして、ナビゲーション装置６５は、ＧＰＳ装置６２から取得した現在位置と、車両情報センサ６６から取得した車速、ブレーキ状況など用いて現在位置を検出する（ステップ２０）。
次に、ナビゲーション装置６５は、検出した現在位置を表す現在位置情報を通信装置６４に供給する。
通信装置６４はナビゲーション装置６５で検出した車両の現在位置情報を、情報センタ５１の送信サーバ７８に送信する（ステップ２５）。
【００８１】
次に、通信装置６４は、現在位置情報を送信した後、送信サーバ７８からコンテンツデータが送信されてくるまで所定時間（例えば２０秒間）待機する（ステップ３０）。
通信装置６４を介して所定時間内に送信サーバ７８から例えば広告コンテンツなどのコンテンツデータを受信すると（ステップ３０；Ｙ）、ナビゲーション装置６５は、受信した当該コンテンツデータを表示装置６７に表示する（ステップ３５）。
表示装置６７に表示される情報は、広告主が設定したテキスト、静止画、動画などである。また、広告主がコンテンツデータに音声データを含めた場合は、ナビゲーション装置６５は、当該車両に設置されたスピーカを用いて当該音声データを再生する。
【００８２】
通信装置６４が所定時間内に送信サーバ７８からコンテンツデータを受信しなかった場合（ステップ３０；Ｎ）、又は、表示装置６７にコンテンツを表示した後、ナビゲーション装置６５は、送信サーバ７８との接続を維持するか否かを確認する（ステップ４０）。これは、移動体端末装置６１は、送信サーバ７８との通信回線を接続したり切断したりする接続スイッチが取り付けてあり、ユーザは、任意にこのスイッチを用いて送信サーバ装置７８との通信回線を接続したり切断したりすることができるようになっているため、ナビゲーション装置６５が接続スイッチの状態を確認するものである。
なお、接続スイッチのデフォルト（初期状態）は送信サーバ７８との通信回線を接続するようになっており、ユーザが移動体端末装置６１の電源スイッチをオンにしたときは接続スイッチが自動的にオンの状態になるようになっている。
【００８３】
接続スイッチがオンである場合は、ナビゲーション装置６５は、ステップ２０に戻り、車両の現在位置を検出する。
接続スイッチがオフである場合は、ナビゲーション装置６５は、送信サーバ７８との無線通信回線を切断する（ステップ４５）。
次に、ナビゲーション装置６５は、コンテンツデータを用いて表示装置６７に表示したコンテンツ画面を消去する（ステップ５０）。
【００８４】
図１２は、表示装置６７に表示された画面７１の一例を示した図である。
画面７１は、上部にナビゲーション部７２を備えており、下部にコンテンツ部７３を備えている。
ナビゲーション部７２には、車両５８が走行している付近の地図と、車両５８の現在位置などが表示される。車両５８の現在位置は、ナビゲーション装置６５が、ＧＰＳ装置６２と車両情報センサ６６から取得したデータにより計算したものである。
【００８５】
コンテンツ部７３での表示内容は、情報センタ５１から送信されてきたコンテンツデータにより形成される。
図の例では、「○△サウナ  新装オープン」というように、車両５８の現在位置が位置するエリアに対応した広告が送信されてきている。
この広告は、例えば当該エリアの所有権者が提供したものか、又は所有権者からエリアの使用権を得た者などが提供したものである。
コンテンツ部７３での表示内容は、静止画像にすることもできるし、テロップとすることもできる。更に、動画とすることも可能である。
また、コンテンツデータに音声データを含ませておき、コンテンツ部７３の画面表示と共に音声を発生させることもできる。
なお、本実施の形態では、情報センタ５１が移動体端末装置６１に送信するコンテンツは広告であるとするが、これに限定するものではなく、例えばゲームコンテンツの試用版や音楽コンテンツなどの他のコンテンツでも良い。
【００８６】
次に本実施形態の変形例について説明する。
図１３は、本実施の形態の変形例を説明するための図である。
本変形例では、広告主がエリアを購入する際に、時間帯を設定することができるようにしたものである。即ち、広告主は、設定した時間帯において、設定したエリアへのコンテンツ送信権を有する。そのため、地理的には同じ地域に対して時間帯を設定することにより、時間帯ごとに広告主を設定することができる。
【００８７】
図１３（ａ）は、広告主が購入するエリアを設定する際のエリア設定画面１４０を示したものである。これは、エリア販売サーバ５のエリア設定モジュール４１により広告主端末装置７のディスプレイ２０に表示されたものである。
エリア設定画面１４０は、エリア設定画面１００が更に時間帯選択欄１４１を具備したものである。
【００８８】
本変形例では、例えば０時から６時まで、６時から１２時まで、１２時から１８時まで、及び１８時から２４時までというように、時間帯が６時間ごとに設定されている。時間帯選択欄１４１では、各時間帯の左側にオプションキーが設定されている。広告主は、マウス操作により、オプションボタンを左クリックすることにより時間帯を選択することができる。
【００８９】
図１３（ａ）の例では、６時から１２時までの時間帯が選択されている。
地図画面１４２には、６時から１２時までの時間帯において、既に販売済みのエリア１４３、１４４が地図上で一点鎖線によって囲まれて表示される。
広告主は、この時間帯においては、エリア１４３、１４４以外の領域に対してエリアを設定することができる。
【００９０】
図１３（ｂ）は、１８時から２４時までの時間帯が選択されている場合を示した図である。
広告主が１８時から２４時までの時間帯を選択すると、当該時間帯において販売済みのエリア１４５、１４６が地図上に一点鎖線によって囲まれて表示される。
広告主は、当該時間帯においては、エリア１４５、１４６以外の領域に対してエリアを設定することができる。
【００９１】
本変形例では、エリアの設定に時間帯が設定されるため、エリア情報９７（図３）に新たに時間帯データが付加される。
そして、送信サーバ７８は、更に現在時刻を取得する時刻取得手段を更に具備し、移動体端末装置６１から現在位置情報を受信した場合に、移動体端末装置６１の位置するエリアと、現在位置情報を受信した時刻が属する時間帯から移動体端末装置６１に送信すべきコンテンツデータを特定する。
【００９２】
なお、本変形例では、時間帯によってエリアを設定したが、この他に、例えば季節、期間、広告カテゴリなどを単位としてエリアを設定しても良い。
季節によってエリアを設定する場合は、広告主は、春夏秋冬から所望の季節を選択することができる。それぞれの季節は、例えば夏は７、８、９月というように範囲が明確化されている。広告主は、選択した季節の間当該エリア内での情報送信権を所有する。
期間を単位としてエリアを設定する場合は、広告主は例えば４月８日から１０月１２日までというように、所望の期間を設定することができるようになっている。
【００９３】
広告カテゴリ単位でエリアを設定する場合は、例えば、飲食業と不動産業のように、競合しない業種ごとに、エリアを設定するものである。競合しない業種のカテゴリは予め決めておく。
そして、それぞれのカテゴリに関して、他のカテゴリと関係なく独立にエリアを販売する。そして、同一地域上に異なるカテゴリのエリアが重なった場合は、その重なった地域に対しては、その重なったエリアに対応付けられたコンテンツデータを例えば１分ごとに順番に配信するようにする。
このようにカテゴリ別にエリアを販売することにより、同じ地域を複数の広告主に販売することができる。
【００９４】
また、本実施の形態では、ユーザがエリアの範囲を地図上で任意に設定することができるように構成したが、エリアの設定は、他の方法を用いて行うこともできる。
例えば、コンテンツデータの配信を携帯電話の基地局を用いて行う場合は、エリアの設定を携帯電話の基地局単位で行うように構成することができる。携帯電話のシステムでは、ユーザが移動するにつれて最寄の基地局とデータの送受信をするように基地局を切り替えている。このため、基地局を単位としてエリアを設定した場合、車両走行するにつれて最寄の基地局から当該基地局に対応付けられたコンテンツデータが当該車両に送信される。
また、道路単位でエリアを設定することもできる。この場合、例えば国道○△号線の○町１丁目から×町３丁目までの区間、というように、所定の道路の所定の区間ごとにエリアを設定することができる。
更に、実施形態で説明したように、ビーコンを介して移動体端末にコンテンツデータを送信する場合、ビーコン単位でエリアを設定するようにしてもよい。この場合、ビーコンから広告等のコンテンツを移動体端末に送信する専有権を各ビーコン単位で販売していることになる。なお、ビーコンを介して移動体端末にコンテンツ等を送信する場合、ビーコンが車両の存在を感知位置を、移動体端末装置の現在位置として、その現在位置情報を取得する。
【００９５】
また、本実施の形態では、一例として車両に搭載した移動体端末装置に対してコンテンツデータを送信したが、これは、送信先を車両に限定するものではなく、例えば携帯電話や電車に搭載された移動体端末装置などを送信先とすることもできる。
【００９６】
以上本実施の形態では、コンテンツデータなどの情報を送信する地域にエリアを設定し、エリアと情報を対応付けるため、特定の地域に限定して所定の情報を発信することができる。
また、エリア内に情報を送信する権利を売買するように構成することにより、擬似的に電子地図上の仮想的な土地を購入希望者に対して販売することができる。
エリアの販売価格には、坪数、占有期間、土地評価額などを反映させることができる。なお、これは、エリア（仮想的な土地）の販売価格が現実の土地価格と必ずしも一致するものではない。
【００９７】
また、送信サーバ７８により、所定の地域の車両密度をリアルタイムで得ることができるため、これをエリアの価格に反映させることができる。
すると、車両密度によってエリアの価格が株価のように変動するため、エリアを投機の対象とすることができる。即ち、投資目的でエリアを購入し、エリアの価格が上昇した場合に、これを販売することにより利益を得ることができる。
【００９８】
また、エリアの購入者（仮想的な地主、具体的には個人や企業など）は、所有するエリアを分割して細分化し、細分化されたエリアを使用したり、売却したり賃貸したりすることなどができる。
例えば、これらのエリアは、情報センタ５１を運営する事業体によって不動産のように販売されており、情報を送信する者は、当該事業体から所望のエリアを購入することにより、当該エリアでの情報送信権を取得することができるようになっている。また、通常の不動産のように、エリアの購入者は第三者に対して当該エリアの使用権を設定したり、また、第三者に当該エリアの一部又は全部を販売することもできる。
そのため、広告主５２、５３はそれぞれエリア５６、５７の購入者か若しくはエリア５６、５７の購入者から使用権を得た者などである。
更に、エリアを仮想的な不動産として取り扱うことにより、エリアを投資の対象とすることも可能である。
その上、エリア内の車両の交通量の増減に伴って株式のように価格が変動するように構成することもできる。
【００９９】
本発明は、本実施の形態に限定されるものではなく、請求項に記載した範囲内で、様々な変形が可能である。
例えば、本実施の形態では、車両から定期的に位置情報を情報センター５１に送信するように構成されているが、これは、例えば、予め情報センターよりエリア情報と表示情報を車両側にダウンロードしておき、当該車両が所定のエリアに進入した時点でコンテンツを表示するように構成することも可能である。
また、本実施の形態に係る移動体端末装置６１は、ごく一般的なカーナビゲーション装置に通信装置を装備した安価な構成により構成することができる。原理的には、ＧＰＳ装置と通信装置のみにより構成することも可能である。
【０１００】
また、本実施の形態では、送信サーバ７８とエリア販売サーバ５をネットワーク接続する構成としたが、これに限定するものではなく、これらを１つのサーバ装置として構成しても良い。これは例えば、送信サーバ７８の各機能をエリア販売サーバ５で構成することにより実現される。
そして、エリア情報データベース８３（図２）を、データベース４０（図４）に格納するようにしてもよい。この場合、エリア情報更新モジュール４４は、インターネット８を介して広告主から入力データを受信するとデータベース４０に格納されたエリア情報データベース８３を更新する。
【０１０１】
また、本実施形態では、領域購入者である広告主に対して、エリア販売対価のみが発生する場合について説明したが、エリア販売サーバ５１からコンテンツデータを移動体端末装置６１に送信した回数をカウントし、送信回数に応じた料金を広告主に請求するようにしてもよい。
【０１０２】
【発明の効果】
本発明によれば、情報送信希望者にとってより情報の送信効果の高い領域別情報送信装置を提供することができる。
【図面の簡単な説明】
【図１】本実施の形態に係る情報送信システムを説明するための図である。
【図２】送信サーバの構成の一例を示した図である。
【図３】エリア情報データベースに記憶されているデータの一例を示した図である。
【図４】（ａ）はエリア販売サーバの構成例を示した図であり、（ｂ）はエリア販売プログラムの構成の一例を示した図であり、（ｃ）はデータベースの構成の一例を示した図である。
【図５】クライアント端末装置の構成の一例を示した図である。
【図６】車両に搭載する移動体端末装置の構成の一例を示した図である。
【図７】広告主端末装置と情報センタ間でのエリア購入（エリア販売）処理を表すフローチャートである。
【図８】エリア設定画面の一例を示した図である。
【図９】コンテンツ設定画面の一例を示した図である。
【図１０】送信サーバの動作を説明するためのフローチャートである。
【図１１】移動体端末装置の動作を説明するためのフローチャートである。
【図１２】表示装置に表示された画面の一例を示した図である。
【図１３】本実施の形態の変形例を説明するための図である。
【符号の説明】
５  エリア販売サーバ
７  広告主端末装置
１１  ＣＰＵ
１２  ＲＯＭ
１３  ＲＡＭ
１４  バスライン
１５  インターフェース
１６  ハードディスク
１７  光磁気ディスク
１８  通信部
１９  ディスプレイ
２１  ブラウザ
２２  回線接続プログラム
２３  プログラム
２４  データベース
２５  印刷装置
２８  バスライン
２９  ＣＰＵ
３０  ＲＯＭ
３１  ＲＡＭ
３２  インターフェース
３３  ハードディスク
３４  光磁気ディスク
３５  通信部
３６  入力部
３７  ディスプレイ
３８  印刷装置
３９  エリア販売プログラム
４０  データベース
４１  エリア設定モジュール
４２  解析モジュール
４３  コンテンツ設定モジュール
４４  エリア情報更新モジュール
４５  地図データ
４６  統計データ
４７  販売価格データ
５１  情報センタ
５２  広告主
５３  広告主
５４  コンテンツデータ
５５  コンテンツデータ
５６  エリア
５７  エリア
５８  車両
６１  移動体端末装置
６２  ＧＰＳ装置
６３  アンテナ
６４  通信装置
６５  ナビゲーション装置
６６  車両情報センサ
６７  表示装置
７１  画面
７２  ナビゲーション部
７３  コンテンツ部
７８  送信サーバ
７９  通信制御部
８０  車両位置特定部
８３  エリア情報データベース
８４  コンテンツ取得部
９０  エリア番号
９１  エリア特定データ
９２  広さデータ
９３  購入者データ
９４  有効期間データ
９５  コンテンツデータ
９６  その他のデータ
９７  エリア情報
１００  エリア設定画面
１０１  確定キー
１０２  キャンセルキー
１０３  地図画面
１０４  販売済みエリア
１０５  販売済みエリア
１０６  垂直スクロールバー
１０７  水平スクロールバー
１０８  面積欄
１０９  価格欄
１１０  交通量欄
１１５  コンテンツ設定画面
１１６  テキストキー
１１７  画像キー
１１８  音声キー
１１９  入力欄
１２０  テキスト入力欄
１２１  画像データ入力欄
１２３  音声ファイル表示欄
１２５  テストキー
１２６  確定キー
１２７  キャンセルキー
１２８  設定画面
１２９  テスト画面
１３０  模擬画面
１４０  エリア設定画面
１４１  時間帯欄
【図１】
0004569051.tif 000002
【図２】
0004569051.tif 000003
【図３】
0004569051.tif 000004
【図４】
0004569051.tif 000005
【図５】
0004569051.tif 000006
【図６】
0004569051.tif 000007
【図７】
0004569051.tif 000008
【図８】
0004569051.tif 000009
【図９】
0004569051.tif 000010
【図１０】
0004569051.tif 000011
【図１１】
0004569051.tif 000012
【図１２】
0004569051.tif 000013
【図１３】
0004569051.tif 000014